(57)【要約】【課題】  従来の携帯電話機では、文章を入力する場合、限られたキーで操作するため、大量のキー操作を行わなければならず、指にも負担が掛かる。また、状態により押すキーをかえなくてはならない煩わしさがあり、使い勝手の悪い操作しかできなかった。また、円柱型回動機構を有する装置では、左右・上下にカーソル移動する２つの装置を必要とし、状況によって装置を変えるため、煩雑さの解消にはならなかった。さらに、限られた厚さ内での設置にも難しさがあった。【解決手段】  本発明の円盤型カーソル移動装置は、左右又は上下方向の両方に対応できるカーソル移動手段と、目的の方向へ物理的な移動量に基づいてカーソルを移動する制御手段、および情報確定装置を具備することで、素早く目的の位置にカーソル移動でき、かつ、指の負担も軽減でき、入力選択操作も簡単にする事ができる。【選択図】  図３
2005128987.tif 000002
【特許請求の範囲】
【請求項１】
カーソル移動手段はキー操作面に配置した円盤を回動機構とすることを特徴とする携帯電話機および情報入力装置。
【請求項２】
前記回動機構と情報を確定するための押下機構の２つを有するように構成されることを特徴とする携帯電話機および情報入力装置。
【請求項３】
前記機構をリング状の回動機構とリング内側部の押下機構で構成し、リングの回動機構をカーソル移動機構、押下機構を情報確定機構とすることを特徴とする携帯電話機および情報入力装置。
【請求項４】
前記回動部に連動したマークをセンサーで読み取り、移動量、移動方向を確定する機能を有する携帯電話機および情報入力装置。
【発明の詳細な説明】
【技術分野】
【０００１】  本発明は、円盤型の回動装置（以下、「ラブダイアル」という。）で情報を選び、押下スイッチにより情報を確定する装置を用いた情報入力装置、および、カーソル移動装置、ならびに、当該装置を使用した携帯電話装置に関する。
【背景技術】
【０００２】  従来の携帯電話装置では、情報を選択するために上下左右の４つの矢印キーを配置し、この矢印キーを押下することによりカーソルを移動して目的の文字や情報等を選択し入力する方式、あるいは、ジョグダイアルと呼ばれる円柱型回動機構を有する装置で選択や入力を行う方式がある（例えば、特許文献１参照。）。
【特許文献１】  特開平１０−１６３９５３  広報
【発明の開示】
【発明が解決しようとする課題】
【０００３】  従来の携帯電話装置において、かな漢字変換を行う手順を図６と図７を用いて説明する。【０００４】  図６は、従来の携帯電話装置の外観図である。図が示すようにテンキーには、「数字」「ひらがな」「英字」が割り振られており、このキーを使用することにより「よみ」を入力する。【０００５】  図７は、従来のキーインプット方式のかな漢字変換の手順を説明する図である。ここで「東京」を「東」「京」と単漢字入力する手順で説明する。まず「文字」キーを押して、ひらがなモードにし、（ａ）「た行（数字４）」のキーを押すと、「たちつてと４」が表示部に表示され、最初の「た」が選択状態になる。数字４のキーをそのまま４回押すことにより、「た→ち→つ→て→と」と「と」の位置にカーソル位置が移動し、次の（ｂ）「あ行（数字１）」のキーを押すと、「と」が確定すると同時に、次の「あいうえお１」が表示部に表示され「あ」が選択状態になる。そのまま数字１のキーを２回押し「う」を選択する。【０００６】  次に、漢字変換をするために、（ｃ）「変換キー」を押下する。これにより漢字の候補が縦に表示され「等党刀頭・・・棟東・・」の約７２字の中から、上下の矢印キーでカーソルを移動し「東」を選択し、「確定キー」を押して確定する。【０００７】  次の漢字「京」を入力する場合も同じように、「き」を入力するために、（ｄ）「か行（数字２）」のキーを押すと、「かきくけこ２」が表示部に表示され、最初の「か」が選択状態になる。数字２のキーを再度押すことで、「か→き」と「き」の位置にカーソル位置が移動し、次の（ｅ）「や行（数字８）」のキーを押すと、「き」が確定すると同時に、次の「やゆよ８」が表示部に表示され「や」が選択状態になる。そのまま数字８のキーを２回押し「よ」を選択し、「小文字」キーを押下して「ょ」に変更し、次の（ｆ）「あ行（数字１）」のキーを押すと、「ょ」が確定すると同時に、次の「あいうえお１」が表示部に表示され「あ」が選択状態になる。そのまま数字１のキーを２回押し「う」を選択する。【０００８】  次に、漢字変換をするために、（ｇ）「変換キー」を押下する。これにより「きょう」の漢字候補が縦列に表示され「強教供橋・・・京・・」の約５２字から、上下の矢印キーでカーソルを移動し「京」を選択し、「確定キー」を押して確定する。【０００９】  このように、目的の「東京」を単漢字入力するためには、「よみ」のキー操作で十数回、漢字選択にも数回、見つからなければ「東」で７２回、「京］で５２回、合わせて１２４回押さなければならない。また、キーを押し過ぎると、順方向の操作しかできない装置では、もう一周分のキー操作をせねばならない。あるいは選択キーとして順方向と逆方向の２つを持っている装置では、押すキーを変えなくてはならないという煩わしさがあり、文字の入力の点では、使い勝手の悪い操作しかできなかった。【００１０】  また、円柱型回動機構を有する装置（例えば、特許文献１参照。）では、左右の方向又は上下の方向にカーソルを移動する場合２つの装置を必要とし、状況によって装置を変えるため、煩雑さの解消にはならなかった。さらに、携帯電話装置の限られた厚さ内での設置に難しさがあった。【００１１】  そこで、本発明は、極力薄くでき、設置が容易で、左右・上下のどちらの方向へカーソル移動する場合にも同じ装置で操作でき、さらに、素早く目的の位置に移動するカーソル移動装置、および選択入力装置、ならびに、当該装置を使用した携帯電話装置を提供することを課題とする。
【課題を解決するための手段】
【００１２】  本発明の円盤型カーソル移動装置は、左右又は上下方向の両方に対応できる円盤のカーソル移動手段と、目的の方向への物理的な移動量に基づいてカーソルを移動する制御手段、および情報確定装置を具備する（以下、「カーソル移動確定装置」という。）ことを特徴とする。【００１３】  以下、本発明の実施形態例を図面を用いて説明する。本実施形態例では、本発明のカーソル移動確定装置を携帯電話装置に適用し、漢字入力の手順を説明する。【００１４】  図１は本実施形態例のカーソル移動確定装置を適用した携帯電話装置の構成を表したブロック図である。【００１５】  図２は、本発明が適用された携帯電話装置の外観構成を示す。【００１６】  カーソル移動確定装置は、例えば図３に示すように構成されている。１カーソル移動装置は、２情報確定キー（以下、「確定キー」という。）の外側に配置した左回転及び右回転するリング状の円盤によって構成される。１カーソル移動装置は６滑り止めと一体であり、６滑り止め面を指でこすって回転させる。【００１７】  図３に示すように、１カーソル移動装置は３マークが刻まれており、内側と外側ではマークが若干ずれて形成されている。このマークを２個の４センサーＡ、５センサーＢで読み取ることにより、回転に応じた出力を得ることができる。【００１８】  図４は、センサーからの出力波形を示す信号波形図である。図４（ア）に示すように、カーソル移動装置を右回転させた時、センサーＡがＯＮに立ち上がった時点でのセンサーＢはＯＮの状態であるのに対し、図４（イ）のように左回転させるとセンサーＡがＯＮに立ち上がった時点でのセンサーＢはＯＦＦの状態である。【００１９】  これにより、センサーＡ信号の立ち上がり時点にセンサーＢの信号を判別することで、回転方向を検出することができる。また、回動量は、センサーＡ信号のパルスをカウントすることにより検出することができる。【００２０】  次に、本発明の情報入力装置を適用した携帯電話を用いて、かな漢字変換を行う場合を説明する。図５は、先で示した「東京」を単漢字入力する際の手順を示すものである。図に示すように、「東」を入力するには、まず「文字」キーを押して、ひらがなモードにする。この文字列は「あ〜ん」まであり、最後の「ん」と「あ」を一周するように構成する。また、テンキーは五十音図のあ段の頭出しができるようにする。【００２１】  まず、（ａ）ラブダイヤルを右回転させて「と」を選び、「確定キー」を押下する。次に、（ｂ）ラブダイヤルを左回転させて「う」を選び、「確定キー」を押下する。【００２２】  次に、漢字変換をするために、（ｃ）「変換キー」を押下する。これにより漢字の候補「等党刀頭・・・棟東・・」の約７２字が縦に表示される。ここで、ラブダイアルを回転させ「東」を選択し「確定キー」を押す。【００２３】  次に、（ｄ）ラブダイアルを右回転させ「き」の位置に選択位置を移し、「確定キー」を押し「き」を確定する。（ｅ）そのままラブダイアルを右又は左に回転し、「よ」を選択し、「小文字」キーを押下して「ょ」に変更し、「確定キー」を押す。（ｆ）次にラブダイアルを右回転し「う」を選択状態にし、「確定キー」を押す。【００２４】  次に、（ｇ）漢���変換をするために、「変換キー」を押下する。これにより「きょう」の漢字候補「強教供橋・・・京・・」の約５２字が縦に表示される。ラブダイアルを回転させカーソルを移動し「京」を選択し、「確定キー」を押して確定する。
【発明の効果】
【００２５】  以上述べたように本発明のカーソル移動確定装置によれば、カーソル移動装置の円盤は指の摩擦力により回転するので、大量にキーを押すのに比べて、指の負担が大幅に軽減できるという効果を奏する。【００２６】  また、本発明のカーソル移動確定装置によれば、カーソル移動装置の円盤は大きく回転したり、小さく回転したり、また、逆に回転させたりする事で発生するパルス量と移動方向を自在に調整でき、カーソルを素早く目的の位置に移動できるという効果を奏する。【００２７】  さらに、本発明のカーソル移動確定装置によれば、一連の漢字入力操作において、本装置から指を離す事なく、次の入力操作に素早く移行することができ、片手での操作が容易になる、また、操作も簡単になるという効果を奏する。【００２８】  さらにまた、本発明のカーソル移動確定装置は、構造が平面的で薄く、携帯電話装置への設置が容易という効果を奏する。
【図面の簡単な説明】
【００２９】
【図１】本発明を適用した携帯電話装置のブロック図
【図２】本発明が適用された携帯電話装置の外観図
【図３】本発明のラブダイアルと情報確定キーの構成
【図４】センサーの信号波形図
【図５】ラブダイアルを適用した漢字入力
【図６】従来の携帯電話の外観図
【図７】従来の漢字入力
【符号の説明】
【００３０】      １  カーソル移動装置（ラブダイアル）
２  情報確定キー
３  マーク
４  センサーＡ
５  センサーＢ
６  滑り止め
【図１】
2005128987.tif 000003
【図２】
2005128987.tif 000004
【図３】
2005128987.tif 000005
【図４】
2005128987.tif 000006
【図５】
2005128987.tif 000007
【図６】
2005128987.tif 000008
【図７】
2005128987.tif 000009